【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
燃料極と酸化剤極と出力端子とを備え、燃料極に燃料ガス、酸化剤極に酸化剤ガスが供給されることで前記出力端子から電気出力が取り出される燃料電池スタックと、
当該燃料電池スタックに供給する水素含有ガスである前記燃料ガスを原燃料から改質生成し、前記燃料極から排気される燃料オフガスの燃焼エネルギーを前記原燃料の改質に利用するための前期燃料オフガスの燃焼バーナを有する改質器と、
当該改質器から前記燃料極に前記燃料ガスを導く燃料ガス供給経路と、
当該燃料ガス供給経路の流通を制御する燃料ガス調整手段と、
前記燃料極から前記燃焼バーナに前記燃料オフガスを導く燃料オフガス排気経路と、
当該燃料オフガス排気経路の流通を制御する燃料オフガス調整手段と、
前記改質器に前記原燃料を供給する原燃料供給手段と、
前記原燃料の供給量を制御する原燃料調整手段と、
前期酸化剤極に前記酸化剤ガスを供給する酸化剤ガス供給手段と、
当該酸化剤ガス供給手段から前記酸化剤極に酸化剤ガスを導く酸化剤ガス供給経路と、
当該酸化剤ガス供給経路の流通を制御する酸化剤ガス調整手段と、
前記酸化剤極から排気される酸化剤オフガスを導く酸化剤オフガス排気経路と、
当該酸化剤オフガス排気経路の流通を制御する酸化剤オフガス調整手段と、
前記出力端子に接続され取り出された電気出力を消費する負荷装置と、
前記燃料ガス調整手段、前記燃料オフガス調整手段、前記原燃料調整手段、前記酸化剤ガス調整手段、前記酸化剤オフガス調整手段および前記負荷装置を制御する制御手段とを備えた燃料電池発電システムの制御方法であって、
前記制御手段は、発電状態の前記燃料電池発電システムを停止する時に、前記酸化剤ガス供給経路の流通を遮断するための前記酸化剤調整手段を制御する第１の制御信号を送出し、当該第１の制御信号を送出後に前記原燃料の前記改質器への供給量を低減するための前記原燃料調整手段を制御する第２の制御信号を送出し、前記燃焼バーナから前記燃料極へ前記燃料オフガス排気経路を逆流する流れを防止するため予め定めた逆流防止判断基準が成立した時点で前記燃料オフガス排気経路の流通を遮断するための前記燃料オフガス調整手段を制御する第３の制御信号を送出し、当該第３の制御信号の送出以降に前記燃料ガス供給経路の流通を遮断するための前記燃料ガス調整手段を制御する第４の制御信号を送出し、前記第１の制御信号送出以降前記第４の制御信号を送出するまでに前記酸化剤オフガス排気経路の流通を遮断するための前記酸化剤オフガス調整手段を制御する酸化剤オフガス排気経路遮断信号を送出すること
を特徴とする燃料電池発電システムの制御方法。
【請求項２】
請求項１に記載の燃料電池発電システムの制御方法において、
制御手段は、予め取得した酸化剤極への酸化剤ガスの供給停止後に燃料極で必要となる燃料ガス量を改質器で生成するのに必要な原燃料量を前記改質器に供給するように原燃料調整手段を制御する制御信号を第２の制御信号として送出することを特徴とする燃料電池発電システムの制御方法。
【請求項３】
請求項１に記載の燃料電池発電システムの制御方法において、
制御手段は、予め定めた原燃料停止判断基準が成立した時点以降に第２の制御信号として改質器への原燃料の供給を停止させるための原燃料調整手段への制御信号を送出することを特徴とする燃料電池発電システムの制御方法。
【請求項４】
請求項１に記載の燃料電池発電システムの制御方法において、
酸化剤極と酸化剤ガス調整手段との間の酸化剤ガス供給経路に一端が接続され、他端が不活性ガス供給手段に接続された不活性ガス供給経路と、
当該不活性ガス供給経路の流通を制御する不活性ガス調整手段とを備え、
制御手段は、第１の制御信号の送出と共に、前記酸化剤極に不活性ガスを流通させ前記酸化剤極を前記不活性ガスで置換するために前記不活性ガス供給経路を流通させるための前記不活性ガス調整手段を制御する不活性ガスパージ開始信号を送出し、第３の制御信号を送出する前に前記酸化剤極の前記不活性ガスの流通を停止するために前記不活性ガス供給経路の流通を遮断するための前記不活性ガス調整手段を制御する不活性ガスパージ停止信号を送出することを特徴とする燃料電池発電システムの制御方法。
【請求項５】
請求項１に記載の燃料電池発電システムの制御方法において、
制御手段は、燃料極あるいは燃料ガス供給経路あるいは燃料オフガス排気経路のいずれかのガス圧を測定するガス圧測定手段を備え、前記制御手段は、前記ガス圧測定手段の測定ガス圧が所定の値になった時点を逆流防止判断基準が成立した時点とすることを特徴とする燃料電池発電システムの制御方法。
【請求項６】
請求項１に記載の燃料電池発電システムの制御方法において、
制御手段は、経過時間測定手段を備え、前記制御手段は、第２の信号を送出すると共に前記経過時間測定手段を発動し、前記経過時間測定手段の測定時間が所定の値になった時点を逆流防止判断基準が成立した時点とすることを特徴とする燃料電池発電システムの制御方法。
【請求項７】
請求項１に記載の燃料電池発電システムの制御方法において、
制御手段は、酸化剤極のガス圧力測定手段を備え、前記制御手段は、前記第１の信号送出後に前記ガス圧力測定手段の測定圧力が所定の値を超えたのちに負荷装置を停止するための負荷装置停止信号を前記負荷装置に送出し、前記ガス圧力測定手段の測定圧力が所定の値以下になれば前記負荷装置を動作させるための負荷装置動作信号を前記負荷装置に送出することを特徴とする燃料電池発電システムの制御方法。
【請求項８】
請求項１に記載の燃料電池発電システムの制御方法において、抵抗負荷と当該抵抗負荷を燃料電池スタックの出力端子に接続する電気的開閉手段から成る保管抵抗装置を備え、かつ制御手段は、前記保管抵抗装置を前記出力端子に接続あるいは遮断する制御機能を備え、
前記制御手段は、発電状態の前記燃料電池発電システムを停止する時に、前記燃料電池スタックの電気出力の出力先を前記負荷装置から前記保管抵抗装置に切り替えるための信号を前記負荷装置および前記保管抵抗装置に送出し、前記燃料電池スタックの出力端子が前記保管抵抗装置の抵抗負荷に接続された状態で保管されることを特徴とする燃料電池発電システムの制御方法。
【請求項９】
請求項１に記載の燃料電池発電システムの制御方法において、
制御手段は燃料極と酸化剤極との水素濃度の平衡検出手段を備え、前記制御手段は第１の制御信号を送出後に前記水素濃度平衡検出手段により前記燃料極水素濃度と前記酸化剤極水素濃度とが等しくなった時点以降に酸化剤オフガス排気経路遮断信号を送出することを特徴とする燃料電池発電システムの制御方法。
【請求項１０】
請求項１に記載の燃料電池発電システムの制御方法において、
燃料電池スタックの出力端子を電気的に短絡せしめる電気的開閉手段と短絡導体からなる短絡回路を備え、制御手段は前記短絡回路を制御する機能を備えており、
前記制御手段は、発電状態の前記燃料電池発電システムを停止する時に、前記燃料電池スタックの電気出力の出力先を負荷装置から前記短絡回路に切り替える切替信号を前記負荷装置と前記短絡回路とに送出し、前記燃料電池スタックの出力端子が前記短絡導体に接続された状態で保管されることを特徴とする燃料電池発電システムの制御方法。